(57)【要約】【課題】内部の収容空間に包装対象物が収容されているかどうかを外見から容易に判断することが可能な包装箱を提供すること。【解決手段】包装箱１０は、箱体１１と、箱体１１に開閉可能に取り付けられた蓋体１２とを備える。蓋体１２には、箱体１１と連結するための突出片５２が設けられており、この突出片５２には、収容空間１５における包装対象物の有無を示す識別子が記されている。箱体１１には、突出片５２が挿入されるスリット４５が形成されており、更に、スリット４５に突出片５２が挿入されたときに識別子が外部に露出される貫通窓４１が形成されている。【選択図】図２
2014223936.tif 000002
【特許請求の範囲】
【請求項１】
第１側板及び前記第１側板に対向する第２側板を有し、前記第１側板及び前記第２側板それぞれの両側端が連結されることによって区画され、上面の開口から包装対象物が収容される収容空間が形成された箱体と、
前記第１側板の上端を基端として前記開口を閉塞する閉塞姿勢と前記開口を開放する開放姿勢との間で姿勢変化可能な蓋体と、
前記第２側板を貫通する第１貫通窓と、
前記第２側板の上端に連接され且つ折り曲げ可能に設けられ、前記収容空間における前記包装対象物の有無に応じて前記第２側板の内面側に折り曲げられて前記第１貫通窓を覆う第１フラップと、
前記第１フラップの折り曲げ部に設けられ、前記第１フラップを貫通するスリットと、
前記蓋体における前記第２側板側の端部から突出し、前記蓋体の裏面側に屈曲され、前記蓋体が前記閉塞姿勢のときに前記スリットに挿入可能に構成され、前記スリットに挿入されたときに前記第１貫通窓を覆う突出片と、を備え、
前記突出片及び前記第１フラップの双方又はいずれか一方において前記第１貫通窓から露出される露出部に前記収容空間における前記包装対象物の有無を示す識別子が付されている包装箱。
【請求項２】
前記突出片が前記スリットに挿入されたときに前記第１貫通窓から露出される前記突出片の露出部に前記収容空間における前記包装対象物の不在を示す不在識別子が付されている請求項１に記載の包装箱。
【請求項３】
前記第１フラップが折り曲げられて前記第２側板の内面側に対向したときに前記第１貫通窓から露出される前記第１フラップの露出部に前記収容空間における前記包装対象物の存在を示す存在識別子が付されている請求項１又は２に記載の包装箱。
【請求項４】
前記第１側板及び前記第２側板それぞれの両側端を連結する第３側板と、
前記第３側板を貫通する第２貫通窓と、
前記第３側板の上端に連接され且つ折り曲げ可能に設けられ、前記収容空間における前記包装対象物の有無に応じて前記第３側板の内面側に折り曲げられて前記第２貫通窓を覆う第２フラップと、を更に備え、
前記２フラップにおいて前記第２貫通窓から露出される露出部に前記収容空間における前記包装対象物の存在を示す存在識別子が付されている請求項１から３のいずれかに記載の包装箱。
【請求項５】
前記突出片が前記スリットに挿入されたときに前記第１貫通窓から露出される前記突出片の露出部に前記収容空間における前記包装対象物の存在を示す存在識別子が付されている請求項１に記載の包装箱。
【請求項６】
前記第１フラップが折り曲げられて前記第２側板の内面側に対向したときに前記第１貫通窓から露出される前記第１フラップの露出部に前記収容空間における前記包装対象物の不在を示す不在識別子が付されている請求項１又は５に記載の包装箱。
【発明の詳細な説明】
【技術分野】
【０００１】
本発明は、包装対象物が収容される収容空間が形成された包装箱に関する。
【背景技術】
【０００２】
画像形成装置やその付属部品などの製品は、段ボールケース等の包装箱に収納された状態で市場に流通している。ユーザーは、開封した包装箱から製品を取り出して製品を入手すると、不必要になった包装箱を廃棄する。しかしながら、ユーザーによっては、製品の動作確認などのために製品を包装箱から取り出して、包装箱を一時的に保管しておき、動作確認後に再び包装箱に戻して倉庫などに保管する場合がある。また、製品が取り出された包装箱を直ぐに廃棄せずに保管棚や倉庫に一時的に保管する場合もある。例えば、画像形成装置に使用されるトナーカートリッジやインクカートリッジなどの消耗品に使用されるカートリッジケースはリサイクルの対象となる場合があり、空になったカートリッジケースを収容する用途として開封後の包装箱が保管される。
【０００３】
この種の包装箱の一例として、特許文献１には、未開封の包装箱と開封後の包装箱とを外見から判断することが可能な包装箱が開示されている。この包装箱は、開封時に破断線に沿って破断された突片部が側面から浮き上がった状態になるものであり、ユーザーは、突片部の浮き上がりの有無を確認することにより、未開封かどうかを判断できる。
【先行技術文献】
【特許文献】
【０００４】
【特許文献１】特開２００８−７４４１８号公報
【発明の概要】
【発明が解決しようとする課題】
【０００５】
しかしながら、前掲の特許文献１に記載の包装箱は、開封後に突片部が側面から浮き上がるため、未開封の包装箱に比べて広い保管スペースが必要である。また、突片部が破断線に沿って切り離されたとしても、破断面と突片部とが引っ掛かり、突片部が側面から浮き上がらないおそれもある。この場合、外見から見ただけでは包装箱が空かどうかを判断することができない。また、従来の包装箱は、開封された後に再び製品が収容された場合は、内部に製品が収容されているかどうかを外見から容易に判断することができない。
【０００６】
本発明は前記事情に鑑みてなされたものであり、その目的は、内部に包装対象物が収容されているかどうかを外見から容易に判断することが可能な包装箱を提供することにある。
【課題を解決するための手段】
【０００７】
本発明は、箱体と、蓋体と、第１貫通窓と、第１フラップと、スリットと、突出片と、を備えた包装箱として構成されている。前記箱体は、第１側板及び前記第１側板に対向する第２側板を有し、前記第１側板及び前記第２側板それぞれの両側端が連結されることによって区画され、上面の開口から包装対象物が収容される収容空間が形成されたものである。前記蓋体は、前記第１側板の上端を基端として前記開口を閉塞する閉塞姿勢と前記開口を開放する開放姿勢との間で姿勢変化可能に構成されている。前記第１貫通窓は、前記第２側板を貫通する。前記第１フラップは、前記第２側板の上端に連接され且つ折り曲げ可能に設けられ、前記収容空間における前記包装対象物の有無に応じて前記第２側板の内面側に折り曲げられて前記第１貫通窓を覆う。前記スリットは、前記第１フラップの折り曲げ部に設けられ、前記第１フラップを貫通する。前記突出片は、前記蓋体における前記第２側板側の端部から突出し、前記蓋体の裏面側に屈曲され、前記蓋体が前記閉塞姿勢のときに前記スリットに挿入可能に構成され、前記スリットに挿入されたときに前記第１貫通窓を覆う。前記突出片及び前記第１フラップの双方又はいずれか一方において前記第１貫通窓から露出される露出部に前記収容空間における前記包装対象物の有無を示す識別子が付されている。
【発明の効果】
【０００８】
本発明によれば、内部に包装対象物が収容されているかどうかを外見から容易に判断することが可能である。
【図面の簡単な説明】
【０００９】
【図１】図１は、本発明の実施形態に係る包装箱の構成を示す斜視図である。
【図２】図２は、本発明の実施形態に係る包装箱の構成を示す斜視図である。
【図３】図３は、本発明の実施形態に係る包装箱の断面図であって、図１における切断線ＩＩＩ−ＩＩＩの断面構造が示されている。
【図４】図４は、本発明の実施形態に係る包装箱の断面図であって、図１における切断線ＩＶ−ＩＶの断面構造が示されている。
【図５】図５は、本発明の実施形態に係る包装箱の展開状態を示す展開図である。
【図６】図６は、本発明の他の実施例に係る包装箱の断面図示す図である。
【発明を実施するための形態】
【００１０】
以下、適宜図面を参照して本発明の実施形態について説明する。なお、以下に説明される実施形態は本発明を具体化した一例にすぎず、本発明の要旨を変更しない範囲で、本発明の実施形態は適宜変更できる。
【００１１】
［包装箱１０の概略］
まず、図１乃至図４を参照して、本発明の実施形態に係る包装箱１０の構成について説明する。ここで、図１は、蓋体１２が閉じられた閉塞姿勢のときの包装箱１０を示す斜視図であり、図２は、蓋体１２が開けられた開放姿勢のときの包装箱１０を示す斜視図である。また、図３（Ａ）及び図４（Ａ）には、包装対象物９０が収容された状態が示されており、図３（Ｂ）及び図４（Ｂ）には、収容空間１５が空の状態が示されている。なお、以下の説明においては、包装箱１０の蓋体１２が上側にあるときの包装箱１０の姿勢を基準姿勢として上下方向６を定義し、蓋体１２の連結部がある側を後背面として前後方向７を定義し、包装箱１０を正面から見て左右方向８を定義する。
【００１２】
図１及び図２に示される包装箱１０は、包装対象物９０（図３参照）を包装するものであり、本発明の包装箱の一例である。包装箱１０は、樹脂シートや段ボールシートなどのシート材から組み立てられて形成される。本実施形態では、包装箱１０は、緩衝性とある程度の可撓性を有し、軽量で十分な強度を有し、容易に折り曲げることが可能な段ボールシートで構成されている。包装箱１０は、主として、箱体１１と蓋体１２とにより構成されており、箱体１１に対して蓋体１２が回動可能に構成されている。
【００１３】
［箱体１１］
箱体１１は、左右方向８に長い直方体形状に形成された箱状のものであり、内部に包装対象物９０が収容される収容空間１５（図３参照、本発明の収容空間に相当）が形成されている。箱体１１は、底板２０（図３参照）、４つの側板２１〜２４（第１側板２１、第２側板２２、第３側板２３、第４側板２４）、３つのフラップ３１〜３３（第１フラップ３１、第２フラップ３２、第３フラップ３３）等を備えている。本実施形態では、箱体１１の収容空間１５は、第１側板２１及び第２側板２２それぞれの端部が連結されることによって形成されている。具体的には、収容空間１５は、底板２０と４つの側板２１〜２４によって区画形成されている。なお、箱体１１は上面に開口１７を有しており、この開口１７から包装対象物９０が収容空間１５に収容可能となっている。
【００１４】
底板２０は、前後方向７よりも左右方向８が長い長方形状に形成されている。底板２０の後端に包装箱１０の後背面を構成する第１側板２１（図３参照、本発明の第１側板の一例）が連接されている。第１側板２１の前側に第２側板２２（本発明の第２側板の一例）が対向するように設けられている。第２側板２２は、包装箱１０の前面を構成しており、底板２０の前端に連接されている。第１側板２１及び第２側板２２は、いずれも、底板２０に対して９０°の角度で底板３０に連接されている。
【００１５】
第１側板２１及び第２側板２２に隣接して、第３側板２３及び第４側板２４が設けられている。第３側板２３は、箱板１１の右側面を構成しており、第１側板２１及び第２側板２２それぞれの右端と底板２０の右端に連接されている。第４側板２４（図４参照）は、箱板１１の左側面を構成しており、第１側板２１及び第２側板２２それぞれの左端と底板２０の左端に連接されている。なお、第３側板２３及び第４側板２４はいずれも、本発明の第３側板の一例である。
【００１６】
図２に示されるように、第２側板２２には、フラップ３１（本発明の第１フラップの一例）が設けられている。フラップ３１は、第２側板２２の上端に連接されており、第２側板２２と一体に形成されている。図２に示されるように、フラップ３１は、第２側板２２との連接部３５で収容空間１５側に折り曲げられている。フラップ３１は、第２側板２２の上端を基準にして開口１７を覆う図２に示される姿勢と、この姿勢から更に略９０°折り曲げられて第２側板２２の内面２２Ａに対向する姿勢（図３（Ａ）参照）との間で変位可能である。フラップ３１が内面２２Ａに対向する姿勢まで変位すると、フラップ３１は、後述する貫通窓４１を覆う。本実施形態では、フラップ３１は、収容空間１５における包装対象物９０の有無に応じて内面２２Ａに対向する姿勢まで変位される。詳細には、フラップ３１は、収容空間１５に包装対象物９０がある場合に内面２２Ａに対向する姿勢まで変位されて貫通窓４１を覆い（図３（Ａ）参照）、収容空間１５に包装対象物９０が無い場合は貫通窓４１を覆わない（図３（Ｂ）参照）。
【００１７】
また、第２側板２２には、突出片５１が設けられている。突出片５１は、蓋体１２と係合して蓋体１２と第２側板２２とを連結するものである。突出片５１は、フラップ３１と第２側板２２との連接部３５の中央に設けられている。突出片５１は、連接部３５の中央部分が部分的に切断されることによって構成される。具体的には、突出片５１は、連接部３５の中央部分からフラップ３１側へ所定長さを隔てた位置から連接部３５まで半楕円形状に切断され、更に連接部３５から第２側板２２を下方へ切断されることによって実現される。この突出片５１の下端には、第２側板２２における切断線の終端を結ぶ直線状の折れ目５５が形成されており、突出片５１はこの折れ目５５で折り曲げられる。つまり、突出片５１は、折れ目５５を基準として屈曲可能である。この突出片５１は、蓋体１２に形成された後述のスリット４７に挿入される。
【００１８】
図２に示されるように、第２側板２２とフラップ３１との連接部３５にスリット４５（本発明のスリットの一例）が形成されている。言い換えると、スリット４５は、フラップ３１の折り曲げ部分に形成されている。スリット４５は、フラップ３１を裏面側に貫通している。スリット４５は、連接部３５の中央に形成されている。より詳細には、スリット４５は、前記突出片５１が形成される際にフラップ３１に形成された半楕円形状の切り欠き３４に連続しており、さらに切り欠き３４の左右方向両端それぞれから連接部３５に沿って延びるように形成されている。本実施形態では、スリット４５は、連接部３５の長さの半分程度の長さに形成されている。このスリット４５に後述の突出片５２が挿入される。
【００１９】
第２側板２２には貫通窓４１（本発明の第１貫通窓の一例）が形成されている。貫通窓４１は、第２側板２２を収容空間１５へ貫通しており、貫通窓４１が他の部材で覆われていない状態では、収容空間１５と外部とが貫通窓４１を通じて連通している。貫通窓４１は、第２側板２２の上端に近く、スリット４５から少し下方に隔てた位置であって、突出片５２の右側に配置されている。本実施形態では、貫通窓４１は矩形状に形成されている。なお、貫通窓４１の形状は矩形状に限定されない。第２側板２２を貫通していれば、どのような形状に形成されていてもよい。
【００２０】
フラップ３１が貫通窓４１を覆う姿勢になると、フラップ３１の裏面３１Ａにおいて貫通窓４１と重なり合う部分３１Ｂ（本発明の露出部に相当）が貫通窓４１から露出される。したがって、フラップ３１が貫通窓４１を覆う姿勢になると、部分３１Ｂが貫通窓４１を通じて第２側板２２の外部に露出される。これにより、ユーザーは、フラップ３１が貫通窓４１を覆う姿勢にあるときに、外部から部分３１Ｂを見ることができる。本実施形態では、部分３１Ｂに、収容空間１５における包装対象物９０の有無を示す識別子が付されている。具体的には、部分３１Ｂに収容空間１５における包装対象物９０の存在を示す「有」のマーク８６（図５参照、本発明の存在識別子に相当）が記されている。このようなマーク８６が記されることによる作用効果については後述する。
【００２１】
第３側板２３には貫通窓４２（本発明の第２貫通窓の一例）が形成されている。貫通窓４２は、第３側板２３を収容空間１５へ貫通しており、貫通窓４２が他の部材で覆われていない状態では、収容空間１５と外部とが貫通窓４２を通じて連通している。貫通窓４２は、第３側板２３の中央に形成されている。この貫通窓４２は、第２側板２２に形成された貫通窓４１と同一サイズで同一形状、つまり矩形状に形成されている。もちろん、貫通窓４２の形状は貫通窓４１と同形同大のものに限られない。
【００２２】
第３側板２３には、フラップ３２（本発明の第２フラップの一例）が設けられている。フラップ３２は、第３側板２３の上端に連接されており、第３側板２３と一体に形成されている。図２に示されるように、フラップ３２は、第３側板２３との連接部３６で収容空間１５側に折り曲げられている。本実施形態では、フラップ３２は、第３側板２３の上端を基準にして開口１７の右側部分の一部を覆う図２に示される姿勢と、この姿勢から更に略９０°折り曲げられて第３側板２３の内面２３Ａ（図４参照）に対向する姿勢との間で変位可能である。フラップ３２が内面２３Ａに対向する姿勢まで変位すると、フラップ３２は、貫通窓４２を覆う。
【００２３】
フラップ３２が貫通窓４２を覆う姿勢になったときに、フラップ３２の裏面３２Ａにおいて貫通窓４２と重ね合わさる部分３２Ｂ（本発明の露出部に相当）が貫通窓４２から外部に露出される。つまり、部分３２Ｂ及び貫通窓４２それぞれは互いに重なるような位置に設けられている。したがって、フラップ３２が貫通窓４２を覆う姿勢になると、部分３２Ｂが貫通窓４２を通じて第３側板２３の外部に露出される。これにより、ユーザーは、フラップ３２が貫通窓４２を覆う姿勢にあるときに、外部から部分３２Ｂを見ることができる。本実施形態では、部分３２Ｂに、収容空間１５における包装対象物９０の有無を示す識別子が付されている。具体的には、第３側板２４において貫通窓４２から露出される部分３２Ｂに、収容空間１５における包装対象物９０の存在を示す「有」のマーク８７（図５参照、本発明の存在識別子に相当）が記されている。このようなマーク８７が記されることによる作用効果については後述する。
【００２４】
図５に示されるように、第４側板２４には貫通窓４３（本発明の第２貫通窓の一例）が形成されている。貫通窓４３は、第３側板２３を収容空間１５へ貫通しており、貫通窓４２が他の部材で覆われていない状態では、収容空間１５と外部とが貫通窓４２を通じて連通している。貫通窓４２は、第３側板２３の中央に形成されている。この貫通窓４２は、第２側板２２に形成された貫通窓４１と同一サイズで同一の形状、つまり矩形状に形成されている。もちろん、貫通窓４２の形状は貫通窓４１と同形同大のものに限られない。
【００２５】
図２及び図４に示されるように、第４側板２４には、フラップ３３（本発明の第２フラップの一例）が設けられている。フラップ３３は、フラップ３２と同一サイズで同一形状に形成されている。フラップ３３は、第４側板２４の上端に連接されている。フラップ３３は、第４側板２４に連続しており、第４側板２４と一体に形成されている。図２に示されるように、フラップ３３は、第４側板２４との連接部３７で収容空間１５側に折り曲げられている。本実施形態では、フラップ３３は、第４側板２４の上端を基準にして開口１７の左側部分の一部を覆う図２に示される姿勢と、この姿勢から更に略９０°折り曲げられて第４側板２４の内面２４Ａ（図４参照）に対向する姿勢との間で変位可能である。フラップ３３が内面２４Ａに対向する姿勢まで変位すると、フラップ３３は、貫通窓４３を覆う。
【００２６】
フラップ３３が貫通窓４３を覆う姿勢になったときに、フラップ３３の裏面３３Ａにおいて貫通窓４３に重ね合わさる部分３３Ｂが貫通窓４３から外部に露出される。つまり、部分３３Ｂ及び貫通窓４３それぞれは互いに重なるような位置に設けられている。したがって、フラップ３３が貫通窓４３を覆う姿勢になると、部分３３Ｂが貫通窓４３を通じて第４側板２４の外部に露出される。これにより、ユーザーは、フラップ３３が貫通窓４３を覆う姿勢にあるときに、外部から部分３３Ｂを見ることができる。本実施形態では、部分３３Ｂに、収容空間１５における包装対象物９０の有無を示す識別子が付されている。具体的には、第４側板２４において貫通窓４３から露出される部分３３Ｂに、収容空間１５における包装対象物９０の存在を示す「有」のマーク８８（図５参照、本発明の存在識別子に相当）が記されている。このようなマーク８８が記されることによる作用効果については後述する。
【００２７】
［蓋体１２］
蓋体１２は、箱体１１に設けられている。図３に示されるように、蓋体１２は、第１側板２１の上端に連接されている。蓋体１２は、開口１７を覆い隠すことが可能なサイズ及び形状に形成されており、具体的には、開口１７と概ね同じ長方形状に形成されている。蓋体１２は、第１側板２１に連続しており、第１側板２１と一体に形成されている。このため、蓋体１２は、第１側板２１との連接部３８を基準にして屈曲可能である。本実施形態では、蓋体１２は、連接部３８を基準にして、開口１７を覆って閉塞する閉塞姿勢（図１に示される姿勢）と、開口１７から離れて収容空間１５を開放する開放姿勢（図２に示される姿勢）との間で姿勢変化可能である。
【００２８】
蓋体１２には、突出片５２（本発明の突出片の一例）が設けられている。突出片５２は、蓋体１２における第２側板２２側の端部１２Ａから突出した形状に形成されている。この突出片５２は、蓋体１２に連続しており、端部１２Ａで蓋体１２の裏面側へ屈曲されている。この突出片５２は、蓋体１２が前記閉塞姿勢のときにスリット４５に挿入可能なように形成されている。本実施形態では、ユーザーの任意によって、収容空間１５に包装対象物９０がない場合に、突出片５２は、図３（Ｂ）に示されるようにスリット４５に挿入される。また、収容空間１５に包装対象物９０がある場合に、図３（Ａ）に示されるようにフラップ３１が内面２２Ａに対応する位置まで変位した状態で、フラップ３１の更に収容空間１５側に挿入される。
【００２９】
また、図２に示されるように、突出片５２と蓋体１２との連接部３９の中央に、突出片５１が挿入可能なスリット４７が形成されている。スリット４７は、連接部３９を裏面側に貫通している。突出片５２がスリット４５に挿入された状態で、更に、突出片５１がスリット４７に挿入されることにより、蓋体１２と箱体１１とを堅牢に連結して、包装箱１０を確実に封緘することができる。
【００３０】
蓋体１２が前記閉塞姿勢のときにフラップ３１が内面２２Ａに対向する位置に変位した状態で、突出片５２が収容空間１５に挿入されると、図３（Ａ）に示されるように、フラップ３１の裏面３１Ａが貫通窓４１を収容空間１５側から覆う。このとき、上述したように、フラップ３１が貫通窓４１を覆う姿勢になると、フラップ３１の裏面３１Ａにおいて貫通窓４１と重なり合う部分３１Ｂが貫通窓４１から露出される。
【００３１】
蓋体１２が閉塞姿勢のときに突出片５２がスリット４５に挿入されると、図３（Ｂ）に示されるように、突出片５２が第２側板２２の内面２２Ａに対向するように配置されて、突出片５２が貫通窓４１を収容空間１５側から覆う。突出片５２が貫通窓４１を覆う姿勢になったときに、突出片５２の外面５２Ａにおいて貫通窓４１と重なり合う部分５２Ｂ（本発明の露出部に相当）が貫通窓４１から露出される。したがって、突出片５２が貫通窓４１を覆う姿勢になると、部分５２Ｂが貫通窓４１を通じて第２側板２２の外部に露出される。これにより、ユーザーは、蓋体１２が貫通窓４１を覆う姿勢にあるときに、外部から部分５２Ｂを見ることができる。本実施形態では、部分５２Ｂに、収容空間１５における包装対象物９０の有無を示す識別子が付されている。具体的には、突出片５１がスリット４５に挿入されたときに貫通窓４１から露出される部分５２Ｂに収容空間１５における包装対象物９０の不在を示す「無」マーク８５（図２及び図５参照、本発明の不在識別子に相当）が記されている。このようなマーク８５が記されることによる作用効果については後述する。
【００３２】
［包装箱１０の組み立て方法］  
以下、図５を参照して、包装箱１０の詳細な構成について説明する。ここで、図５（Ａ）は、包装箱１０の展開状態を表面から見たときの図であり、図５（Ｂ）は、包装箱１０の展開状態を裏面から見たときの図である。
【００３３】
包装箱１０は、段ボールで形成されたシート材などのシート状の緩衝材で構成されている。具体的には、段ボールシートが図５の展開図に示されるようにカットされたカットシート６０によって、箱体１１及び蓋体１２が一体に形成される。カットシート６０が折り曲げられるなどして組立てられることによって、包装箱１０が構成される。カットシート６０は、全体の厚みが一定の段ボールシートで構成されている。したがって、カットシート６０の各部の強度は一定である。カットシート６０の厚みは特に限定されないが、本実施形態では、概ね５ｍｍのカットシート６０が採用される。なお、本実施形態では、箱体１１と蓋体１２とが一体に形成されるカットシート６０を例示するが、それぞれが個別のカットシートによって組み立てられた後にそれぞれが接着剤などの接合手段によって連結されたものであってもよい。
【００３４】
図５に示されるように、カットシート６０には、各部を区画する折り目６２〜６４が形成されている。これにより、カットシート６０は、第１側板２１を含む背面部８１と、第２側板２２を含む前面部８２と、第３側板２３を含む右側面部８３と、第４側板２４を含む左側面部８４とに区分けされる。また、背面部８１には、折り目６５〜６７が形成されており、これらによって第１側板２１と、蓋体１２と、接着部５７と、底板２０を構成する連結片７６とに区画されている。また、前面部８２には、折り目６８，６９が形成されており、これらによって第２側板２２と、フラップ３１と、底板２０を構成する連結片７７とに区画されている。また、右側面部８３には、折り目７０，７１が形成されており、これらによって第３側板２３と、フラップ３２と、底板２０を構成する連結片７８とに区画されている。また、左側面部８４には、折り目７２，７３が形成されており、これらによって第４側板２４と、フラップ３３と、底板２０を構成する連結片７９とに区画されている。なお、接着部５７は、第１側板２１の長手方向の端部から舌状に突出しており、後述するように、第３側板２３と接着剤などによって接合される部分である。
【００３５】
上述のように構成された包装箱１０の組立方法について説明する。まず、組立て作業者は、カットシート６０を折り目６１〜６４に沿って表面側を山折りにするとともに接着部５７を折り目６７に沿って山折りにする。これにより、接着部５７と第３側板２３とが合わさるので、その合わせ部分に接着剤を塗布して、接着部５７と第３側板２３とを接合する。次に、カットシート６０を折り目６６，６９，７１，７３に沿って山折りにして、全ての連結片７６〜７９を直角に屈曲させる。その後、各連結片７６〜７９に設けられた突出部などを組み合わせて、連結片７６〜７９それぞれを連結する。これにより、底板２０が構成される。次に、カットシート６０を折り目６５，６８，７０，７２に沿って山折りにして、蓋体１２、フラップ３１、フラップ３２、フラップ３３を直角に屈曲させる。以上の組み立て工程によって、図２に示される本実施形態に係る包装箱１０が完成する。
【００３６】
［実施形態の作用効果］  
以下、上述のように構成された包装箱１０の封緘方法について説明する。この包装箱１０は、収容空間１５に包装対象物９０が収容される場合の封緘方法と、収容空間１５が空の場合の封緘方法とが異なる。具体的には、収容空間１５に包装対象物９０を収容する場合は、図３（Ａ）に示されるようにフラップ３１を第２側板２２の裏面に対向させるように折り曲げ、図４（Ａ）に示されるようにフラップ３２，３３を側板２３，２４の裏面に対向させるように折り曲げた状態にしてから、収容空間１５に収容対象物９０を収容させる。そして、蓋体１２を開放姿勢から閉塞姿勢にし、蓋体１２と第２側板２２とを連結する。このとき、蓋体１２の突出片５２は、スリット４５に挿入せずに、折り曲げられたフラップ３１と包装対象物９０との隙間に挿入する。その後、突出片５１をスリット４７に挿入する。このように封緘されることにより、貫通窓４２，４３には、「有」マーク８７，８８が露出される。また、貫通窓４１にも「有」マーク８６が露出される。これにより、ユーザーは、包装箱１０を外部から目視するだけで、包装箱１０の内部に包装対象物９０が有ることを把握することができる。
【００３７】
一方、収容空間１５が空の場合は、図３（Ｂ）に示されるようにフラップ３１〜３３を自然状態にしたまま、蓋体１２を開放姿勢から閉塞姿勢にし、蓋体１２と第２側板２２とを連結する。具体的には、突出片５２をスリット４５に挿入し、その後、突出片５１をスリット４７に挿入する。このとき、フラップ３１〜３３は、包装箱１０の材質が有する復元力によって側板２２〜２４に対して６０°〜９０°の角度となる位置で静止する。つまり、フラップ３１〜３３は、貫通窓４１〜４３を覆わない。このように封緘されることにより、貫通窓４２，４３には、いずれの識別子も露出されず、貫通窓４１にだけ突出片５２に記された「無」マーク８５が露出される。これにより、ユーザーは、包装箱１０を外部から目視するだけで、包装箱１０の内部に包装対象物９０が無いことを把握することができる。
【００３８】
なお、上述の実施形態では、シート状の緩衝材である段ボールシートでカットシート６０を形成して、これを折り曲げて包装箱１０を構成する例について説明したが、カットシート６０の材質は、段ボールシートに限られない。フラップ３１〜３３が自然な状態で側板２２〜２４から離れる程度の復元力を有するものであれば如何なる素材のものでも適用可能である。
【００３９】
また、上述の実施形態では、識別子として、「無」マーク８５や「有」マーク８６〜８８を使用したが、ユーザーが包装対象物の有無を把握できる識別子であれば如何なるものでもよい。例えば、○印や×印などのマークでもよく、色で識別できるような識別子であってもよい。
【００４０】
また、上述の実施形態では、突出片５２及びフラップ３１〜３３の全てに識別子を付した例について説明したが、少なくとも突出片５２に識別子が付されていれば、その識別子の有無を目視で確認することにより、ユーザーは、包装箱１０の内部に包装対象物９０が有るかどうかを外見から容易に把握することができる。
【００４１】
また、上述の実施形態では、収容空間１５に包装対象物９０が収容されていない場合に突出片５１をスリット４７に挿入して、包装箱１０の封緘する例について説明したが、本発明はこのような例に限られない。例えば、図６（Ａ）に示される封緘方法が採用されてもよい。つまり、収容空間１５に包装対象物９０が収容された後に、包装対象物９０の上面を覆う位置までフラップ３１を折り曲げ、更に、フラップ３２，３３を包装対応物９０の上面を覆う位置まで折り曲げる。そして、蓋体１２を前記開放姿勢から前記閉塞姿勢にし、蓋体１２と第２側板２２とを連結する。このとき、突出片５２をスリット４５に挿入し、その後、突出片５１をスリット４７に挿入する。この場合、フラップ３１〜３３は貫通窓４１〜４３を覆わないので、各露出部３１Ｂ，３２Ｂ，３３Ｂは貫通窓４１〜４３から露出されず、突出片５２の露出部５２Ｂだけが貫通窓４１から露出される。このような封緘方法においては、収容空間１５における包装対象物９０の存在を示す「有」のマーク８６が露出部５２Ｂに記されている。これにより、ユーザーは、包装箱１０を外部から目視するだけで、包装箱１０の内部に包装対象物９０が有ることを把握することができる。また、包装対象物９０が梱包箱１０に梱包された状態で包装箱１０が堅牢に封緘される。
【００４２】
一方、収容空間１５が空の場合は、図６（Ｂ）に示されるようにフラップ３２，３３を自然状態にしたまま、そして、フラップ３１を第２側板２２の裏面に対向させるように折り曲げた状態にしてから、蓋体１２を前記開放姿勢から前記閉塞姿勢にし、蓋体１２と第２側板２２とを連結する。このとき、蓋体１２の突出片５２は、スリット４５に挿入させずに、折り曲げられたフラップ３１の収容空間１５側に挿入する。その後、突出片５１をスリット４７に挿入する。この場合、フラップ３２，３３は、包装箱１０の材質が有する復元力によって側板２３，２４に対して６０°〜９０°の角度となる位置で静止する。そのため、貫通窓４２，４３には識別子は露出されない。また、貫通窓４１から露出部３１Ｂが露出される。このような封緘方法においては、収容空間１５における包装対象物９０の不在を示す「無」のマーク８５が露出部５２Ｂに記されている。これにより、ユーザーは、包装箱１０を外部から目視するだけで、包装箱１０の内部に包装対象物９０が無いことを把握することができる。また、包装箱１０が空である場合は、堅牢な封緘は不要である。そのため、空箱の包装箱１０の封緘に際して、スリット４５に突出片５２を挿入するという作業を排除した簡単な封緘方法を採用できる。
【００４３】
以上、本発明の実施形態を説明したが、本発明の範囲はこれに限定されるものではなく、本発明の主旨を逸脱しない範囲で種々の変更を加えて実施することができる。
【符号の説明】
【００４４】
１０：包装箱
１１：箱体
１２：蓋体
１５：収容空間
１７：開口
２０：底板
２１：第１側板
２２：第２側板
２３：第３側板
２４：第４側板
３１〜３３：フラップ
４１〜４３：貫通窓
４５：スリット
４７：スリット
９０：包装対象物
【図１】
2014223936.tif 000003
【図２】
2014223936.tif 000004
【図３】
2014223936.tif 000005
【図４】
2014223936.tif 000006
【図５】
2014223936.tif 000007
【図６】
2014223936.tif 000008